(57)【特許請求の範囲】
【請求項１】
移動体通信システムの受信機からフィードバックされたチャネルステート情報（ＣＳＩ）を受信する前記移動体通信システムの送信機で使用されるシンボルインターリービング及びチャネルマッピング装置であって、
シンボルを該シンボルの重要性に従って分類するシンボル分類ユニットと、
重要なシンボルが可能な限りノンディープフェーディング・サブキャリアに対応するように、前記シンボル分類ユニットの分類結果及び前記ＣＳＩに従ってサブキャリアマッピングを行うシンボル・サブキャリアマッピングユニットとを有し、
それぞれのサブセットが予め決定された数のサブキャリアを含む複数のサブセットにサブキャリアが分割され、それぞれのサブセットが前記予め決定された数のシンボルを含む複数のサブセットにシンボルが分割され、
前記シンボル・サブキャリアマッピングユニットは、
前記複数のサブセットのうちの特定のサブセットに含まれるシンボル毎に、シンボルの重要度と対応するサブキャリアのフェーディング強度レベルとの差を計算し、計算された差と所定の閾値との比較結果に基づいて、前記特定のサブセットに含まれる全てのシンボルについて、前記サブキャリアマッピングが行われた場合に対応する前記計算された差の絶対値の合計を計算し、計算された絶対値の合計が最小になるように前記サブキャリアマッピングを行う、
シンボルインターリービング及びチャネルマッピング装置。
【請求項２】
前記シンボル・サブキャリアマッピングユニットは、
前記シンボルをサブキャリアへマッピングするサブキャリアマッピングユニットと、
重要なシンボルが可能な限りノンディープフェーディング・サブキャリアに対応するように、前記シンボル分類ユニットの分類結果及び前記ＣＳＩに従って前記サブキャリアマッピングユニットのマッピング結果を適応させるシンボルインターリービングユニットと、
を有する請求項１記載のシンボルインターリービング及びチャネルマッピング装置。
【請求項３】
シンボルインターリービング必要性判断ユニットを更に有し、
前記シンボルインターリービング必要性判断ユニットは、前記サブキャリアの状態及び前記サブキャリアマッピングユニットのマッピング結果に従って前記サブキャリアマッピングユニットの前記マッピング結果を適応させることが必要かどうかを判断する、
請求項２記載のシンボルインターリービング及びチャネルマッピング装置。
【請求項４】
前記サブキャリアが前記ＣＳＩにおいて複数のサブセットに分割される場合に、シンボルサブセット分割ユニットを更に有し、
前記シンボルサブセット分割ユニットは、前記サブキャリアと同数の複数のサブセットに前記シンボルを分割し、
前記シンボルインターリービングユニットは、前記シンボルのサブセットに関して前記サブキャリアマッピングユニットのマッピング結果を適応させる、
請求項２記載のシンボルインターリービング及びチャネルマッピング装置。
【請求項５】
前記シンボル分類ユニットは、
シンボル内のビットの夫々に関し重要性を決定するビット重要性決定ユニットと、
前記シンボル内の重要なビットの数を決定する重要ビット数決定ユニットと、
前記シンボル内の前記重要なビットの数に従って前記シンボルの重要性を判断し、該シンボルを分類するシンボル重要性判断ユニットとを有する、
請求項１記載のシンボルインターリービング及びチャネルマッピング装置。
【請求項６】
前記シンボルインターリービングユニットは、前記ＣＳＩ及び前記シンボル分類ユニットの分類結果に従ってルックアップテーブルによって前記サブキャリアマッピングユニットのマッピング結果を再配置する、
請求項２記載のシンボルインターリービング及びチャネルマッピング装置。
【請求項７】
前記シンボルの重要性が高いほどシンボル重要度マーキング値が小さく定義されるときに、前記サブキャリアに対応するチャネル状態が悪いほど前記チャネルフェーディング強度レベルは高く定義され、又は、前記シンボルの重要性が高いほど前記シンボル重要度マーキング値が大きく定義されるときに、前記サブキャリアに対応するチャネル状態が悪いほど前記チャネルフェーディング強度レベルは低く定義される、
請求項１又は２記載のシンボルインターリービング及びチャネルマッピング装置。
【請求項８】
前記サブキャリアを複数のサブセットに分割するサブキャリアサブセット分割ユニットと、
前記サブキャリアと同数の複数のサブセットに前記シンボルを分割するシンボルサブセット分割ユニットと、
前記シンボルのサブセットに関して前記サブキャリアマッピングユニットのマッピング結果を適応させるシンボルインターリービングユニットとを有する、
請求項２記載のシンボルインターリービング及びチャネルマッピング装置。
【請求項９】
移動体通信システムの受信機からフィードバックされたチャネルステート情報（ＣＳＩ）を受信する前記移動体通信システムの送信機で使用されるシンボルインターリービング及びチャネルマッピング方法であって、
シンボルを該シンボルの重要性に従って分類するシンボル分類ステップと、
前記シンボルをサブキャリア上でマッピングするサブキャリアマッピングステップと、
重要なシンボルが可能な限りノンディープフェーディング・サブキャリアに対応するように、前記シンボル分類ステップの分類結果及び前記ＣＳＩに従って前記サブキャリアマッピングステップのマッピング結果を適応させるシンボルインターリービングステップとを有し、
それぞれのサブセットが予め決定された数のサブキャリアを含む複数のサブセットにサブキャリアが分割され、それぞれのサブセットが前記予め決定された数のシンボルを含む複数のサブセットにシンボルが分割され、
前記シンボルインターリービングステップは、
前記複数のサブセットのうちの特定のサブセットに含まれるシンボル毎に、シンボルの重要度と対応するサブキャリアのフェーディング強度レベルとの差を計算し、計算された差と所定の閾値との比較結果に基づいて、前記特定のサブセットに含まれる全てのシンボルについて、前記サブキャリアマッピングが行われた場合に対応する前記計算された差の絶対値の合計を計算し、計算された絶対値の合計が最小になるように前記サブキャリアマッピングを行う、
シンボルインターリービング及びチャネルマッピング方法。
【請求項１０】
受信機及び送信機を有する移動体通信システムであって、
前記送信機は、請求項１乃至８のいずれか一項記載のシンボルインターリービング及びチャネルマッピング装置を有し、前記受信機へデアレンジメント情報を送信し、
前記受信機は、前記デアレンジメント情報に従って前記シンボル・サブキャリアマッピングユニットとは逆順の方法で、受信したシンボルを処理するシンボル・サブキャリアデマッピングユニットを有し、更に、前記受信機は、前記送信機へチャネル情報をフィードバックする、移動体通信システム。
【発明の詳細な説明】
【技術分野】
【０００１】
本発明は、移動体通信システムの技術、より具体的には、多重キャリア無線通信システムのためのチャネルマッピング方法及び装置並びに対応する送信機、受信機及びシステムに関する。
【背景技術】
【０００２】
通信システムにおけるフィードバックチャネル情報は、送信機がチャネル状態に基づき干渉を回避することを可能にする。無線通信におけるほとんどの適応可能な技術は、ある形式のフィードバックチャネル情報に基づく。
【０００３】
典型的な多重キャリア通信システムを図１及び図２に表す。
【０００４】
図１は、先行技術の送信機１００のブロック図を示す。上層データは、最初にランダマイザ１０１でランダム化され、次いでＦＥＣコーダー１０２で符号化される。ＦＥＣコーダー１０２は、どんな種類のＦＥＣコーダーであっても良い。ＣＴＣ（Convolutional  Turbo  Codes；畳み込みターボ符号）及び不規則ＬＤＰＣ（Low  Density  Parity-check  Codes；低密度パリティチェック符号）の卓越したエラー補正性能により、かかる２つの種類のチャネル符号化は幅広く用いられている。符号化されたデータは、続いて、ブロックインターリーバ又は畳み込みインターリーバのいずれか一方でありうるビットインターリーバ１０３によってインターリーブされる。変調器１０４は、インターリーブされた符号語をコンステレーションシンボル（constellation  symbol）へマッピングする。かかるシンボルは、所定の規則に従って、各サブキャリアへサブキャリアマッピングユニット１０５によってマッピングされる。この処理は、時間軸上のデータを時間及び周波数の２次元空間へマッピングすることと考えることができる。ほとんどのシステムで、論理的マッピングは、隣接するシンボルが隣接するサブキャリアへマッピングされないことを確かにするように、物理的マッピングと相違し、それによってバーストフェーディングを回避する。マッピングされたデータは、次いで、シリアル／パラレル（Ｓ／Ｐ）変換ユニット１０６、逆高速フーリエ変換（ＩＦＦＴ）ユニット１０７、パラレル／シリアル（Ｐ／Ｓ）変換ユニット１０８及び前置（ＣＰ）加算ユニット１０９によって処理される。これらのユニットは、多重キャリア伝送モード直交周波数分割多重（ＯＦＤＭ）で一般的に用いられる基本モジュールであり、従って、ここで重ねて記載しない。
【０００５】
図２は、先行技術の受信機２００のブロック図を示す。受信された信号は、最初に、前置除去ユニット２０１、シリアル／パラレル（Ｓ／Ｐ）変換ユニット２０２、高速フーリエ変換（ＦＦＴ）ユニット２０３、及びパラレル／シリアル（Ｐ／Ｓ）変換ユニット２０４によって処理される。これらのユニットは、前出のユニット１０６、１０７、１０８及び１０９の逆動作ユニットであり、いわゆる当業者に公然と知られるＯＦＤＭの基本的な復調モジュールであり、従って、ここで重ねて記載しない。サブキャリアデマッピングユニット２０５は、サブキャリアマッピングユニット１０５の機能とは反対に、時間及び周波数の２次元データを時間軸へマッピングする。コンステレーションシンボルは、復調器２０６でビットブロックに復調され、次いで、デインターリーバ２０７でデインターリーブされる。デインターリーブされたビットブロック（すなわち、ＦＥＣ符号化ブロック）は、ＦＥＣデコーダ２０８で復号化される。その出力は、続いて、デランダマイザ２０９で逆乱数化され、上層へ供給される。
【０００６】
畳み込みターボ符号及び低密度パリティチェック符号の両方に関し、符号語長は、通常は非常に長く設計される。これは、長い符号語のより高いランダム性がエラー補正性能を改善するためである。
【０００７】
図３は、１／２符号レート畳み込みターボ符号を備えたエンコーダ１０２の一般的概念である。図３に示されるように、入力される情報ビットは３つの流れに分けられる。第１のビットストリームは、遅延手段３０１ａによって遅延された後に、直接にマルチプレクサ３０５に入る。符号語のかかる部分は、通常は情報ビット３０７と呼ばれる。第２のビットストリームは、遅延手段３０１ｂによって遅延された後に、１／２成分畳み込みエンコーダ３０２ａによって処理され、この成分エンコーダのチェックビットが得られる。第３のビットストリームは、最初に、ＣＴＣインターリーバ３０３によってインターリーブされ、次いで、他の１／２成分畳み込みエンコーダ３０２ｂによって符号化され、そのチェックビットが得られる。エンコーダ３０２ａ及び３０２ｂの出力は、冗長性削除マトリクスユニット３０４によって交互に選択される。冗長性削除マトリクスユニット３０４及び遅延手段３０１ａの出力は、マルチプレクサ３０５によって多重化される。明らかなように、畳み込みターボ符号３０６は情報ビット３０７及びチェックビット３０８から構成される。畳み込みターボ符号に関し、情報ビットは、如何なる冗長性削除及び保護もなされない。これは、符号語の情報ビットがチェックビット部分よりも重要な役割を果たし、従って、更に保護されるべきであることを意味する。
【０００８】
図４は、不規則低密度パリティチェック（ＬＤＰＣ）符号のチェックマトリクスの一般的概念である。不規則ＬＤＰＣ符号の特徴は、可変ノード及びチェックノードの度合いが全体として同じでないことである。可変ノードの度合い（チェックマトリクス４０１の列の重さ４０４）は、対応する符号語における各ビットの重要性を決定する。すなわち、重要であるほど、その度合いは大きくなる。言い換えると、部分４０３のビットは、符号語において部分４０２のビットよりも重要である。
【０００９】
図３のＣＴＣ符号及び図４の不規則ＬＤＰＣ符号は、符号語における幾つかのビットが他のビットよりも重要であるという共通の特徴を共有する。このようなＦＥＣ符号を不等エラー保護（ＵＥＰ）符号と呼ぶことにする。前出の２つのエラー補正符号に加えて、畳み込み符号及び幾つかの線形符号もＵＥＰ符号に属する。
【００１０】
多重キャリア無線通信システムで、データがＵＥＰ符号に基づき符号化された後に、１つの符号化ブロックにおけるビットは、変調後に幾つかのサブキャリアへマッピングされ得る。これらのサブキャリアは、通常は、異なる度合いのフェーディングを欠点とする。符号化分野でのフェーディングに対する従来の方法は、ビットインターリービングである。全ての符号化されたビットは、ビットインターリーバにより異なるサブキャリアへランダムにマッピングされる。各ビットが被るディープフェーディングの可能性は同じである。送信機がフィードバック技術によりチャネルフェーディング情報を認識している状況で、従来の送信機は、特別に重要なビットに対する更なる保護を提供しない。
【００１１】
図５は、かかる状況を表す。図５は、従来の送信機側でのチャネル符号化処理を示すフローチャートである。図５に示されるように、従来の送信機側でのチャネル符号化処理は、前進型エラー補正（ＦＥＣ）符号化、ビットインターリービング、変調及びチャネルマッピングを含む。この処理は、図１に示される装置の処理フローと一致する。
【００１２】
図５に示されるように、ＵＥＰチャネル符号（すなわち、図５のＦＥＣ符号５０５）は、最初に、ステップ５０１で入力される。ＦＥＣ符号５０５は、不等保護（ＵＥＰ）前進型補正符号である。かかる符号の長さは、例となる実施形態において３６である。９から１６及び２９から３６のビットは重要ビットである（かかるビットは、参照番号５１０によって示されるように、番号２が上に付されている。）。１から８及び１７から２８のビットは、非重要ビットである（かかるビットは、参照番号５０９によって示されるように、番号１が上に付されている。）。ＦＥＣ符号５０５は、ＦＥＣユニット１０２によって得られる。ＦＥＣ符号５０５は、最初に、ビットインターリーブ符号５０６を得るよう、（ステップ５０２で）ビットインターリーバ１０３によってインターリーブされる。ビットインターリーブ符号５０６は、次いで、（ステップ５０３で）変調器１０４によって１６ＱＡＭコンステレーションシンボル５０７へと変調される。サブキャリアマッピングユニット１０５によるチャネルマッピング（ステップ５０４）の後に、コンステレーションシンボル５０７は、シンボル５０８のように送信され得る。参照番号５１１及び５１２は、各サブキャリアのチャネルフェーディング強度（チャネルステート情報）を示す。参照番号５１４及び５１５は、各シンボルの重要性を示す。図５に示される例では、ディープフェーディングを伴う全部で１０の重要ビットがある。実際のところ、目下チャネル情報は送信側に知られており、重要ビットがディープフェーディングを伴うことを回避する対応する手段が存在すべきである。
【００１３】
本発明のより深い理解のために、当業者は以下の文献を参照することができる。これらは、その全文を参照することによって本願に援用される。
【特許文献１】米国特許公開２００２／００６６０６１Ａ１、Brain  Classon等
【非特許文献１】Xiaowei  Jin、Teng  Li、Oliver  M．Collins及びThomas  E．Fuja、The  University  of  LDPC  Codes  on  Correlated  Fading  Channels  with  Decision  Feedback  Based  Receiver、Global  Telecommunications  Conference、2005．GLOBECOM  apos；05．IEEE  Volume  3、２００５年１１月２８日−１２月２日発行
【非特許文献２】Hengli  Zhou及びBaosheng  Li、BER  Criterion  and  Codebook  Construction  for  Finite-Rate  Precoded  Spatial  Multiplexing  With  Linear  Receivers、IEEE  TRANSACTIONS  ON  SIGNAL  PROCESSING、VOL．54、NO．5、２００６年５月
【非特許文献３】L．A．Dunning及びW．E．Robbins：Optimal  encoding  of  linear  block  codes  for  unequal  error  protection、Information  and  Control37（１９７８年）、１５０〜１７７頁
【非特許文献４】W．J  van  Gils：Two  topics  on  linear  unequal  error  protection  codes：bounds  on  their  length  and  cyclic  code  classes、IEEE  Transactions  on  Information  Theory29（１９８３年）、８６６〜８７６頁
【発明の開示】
【発明が解決しようとする課題】
【００１４】
本発明は、上記の問題を考慮して提案され、先行技術に存在する１又はそれ以上の問題を解決することを目的とする。
【課題を解決するための手段】
【００１５】
本発明の第１の態様に従って、移動体通信システムの受信機からフィードバックされたチャネルステート情報（ＣＳＩ）を受信する前記移動体通信システムの送信機で使用されるシンボルインターリービング及びチャネルマッピング装置であって、
シンボルを該シンボルの重要性に従って分類するシンボル分類ユニットと、
重要なシンボルが可能な限りノンディープフェーディング・サブキャリアに対応するように、前記シンボル分類ユニットの分類結果及び前記ＣＳＩに従ってサブキャリアマッピングを行うシンボル・サブキャリアマッピングユニットとを有する、シンボルインターリービング及びチャネルマッピング装置が提供される。
【００１６】
本発明の第２の態様に従って、前記シンボル・サブキャリアマッピングユニットは、
前記シンボルをサブキャリアへマッピングするサブキャリアマッピングユニットと、
重要なシンボルが可能な限りノンディープフェーディング・サブキャリアに対応するように、前記シンボル分類ユニットの分類結果及び前記ＣＳＩに従って前記サブキャリアマッピングユニットのマッピング結果を適応させるシンボルインターリービングユニットとを有する。
【００１７】
上記の第２の態様に基づく本発明の第３の態様に従って、当該シンボルインターリービング及びチャネルマッピング装置は、前記サブキャリアの状態及び前記サブキャリアマッピングユニットのマッピング結果に従って前記サブキャリアマッピングユニットの前記マッピング結果を適応させることが必要かどうかを判断するシンボルインターリービング必要性判断ユニットを更に有する。
【００１８】
上記の第２の態様に基づく本発明の第４の態様に従って、前記サブキャリアが前記ＣＳＩにおいて複数のサブセットに分割される場合に、当該シンボルインターリービング及びチャネルマッピング装置は、シンボルサブセット分割ユニットを更に有し、
前記シンボルサブセット分割ユニットは、前記サブキャリアと同数の複数のサブセットに前記シンボルを分割し、
前記シンボルインターリービングユニットは、前記シンボルのサブセットに関して前記サブキャリアマッピングユニットのマッピング結果を適応させる。
【００１９】
上記の第１の態様に基づく本発明の第５の態様に従って、前記シンボル分類ユニットは、
シンボル内のビットの夫々に関し重要性を決定するビット重要性決定ユニットと、
前記シンボル内の重要なビットの数を決定する重要ビット数決定ユニットと、
前記シンボル内の前記重要なビットの数に従って前記シンボルの重要性を判断し、該シンボルを分類するシンボル重要性判断ユニットとを有する。
【００２０】
上記の第２の態様に基づく本発明の第６の態様に従って、前記シンボルインターリービングユニットは、前記ＣＳＩ及び前記シンボル分類ユニットの分類結果に従ってルックアップテーブルによって前記サブキャリアマッピングユニットのマッピング結果を再配置する。
【００２１】
上記の第２の態様に基づく本発明の第７の態様に従って、前記シンボルインターリービングユニットは、前記ＣＳＩ及び前記サブキャリアマッピングユニットのマッピング結果に従って、シンボル重要度マーキング値と再配置されたマッピング結果の中のサブキャリアに対応する夫々のチャネルフェーディング強度レベルとの間の差の絶対値を最小にするよう再配置を実行し、
前記シンボル重要度マーキング値は、シンボルの重要性を表し、
前記シンボルの重要性が高いほど、前記マーキング値はますます低く又は高く、且つ、前記サブキャリアに対応するチャネルステートが悪いほど、前記フェーディング強度レベルはますます高い又は低い。
【００２２】
上記の第２の態様に基づく本発明の第８の態様に従って、当該シンボルインターリービング及びチャネルマッピング装置は、
前記サブキャリアを複数のサブセットに分割するサブキャリアサブセット分割ユニットと、
前記サブキャリアと同数の複数のサブセットに前記シンボルを分割するシンボルサブセット分割ユニットと、
前記シンボルのサブセットに関して前記サブキャリアマッピングユニットのマッピング結果を適応させるシンボルインターリービングユニットとを有する。
【００２３】
本発明の第９の態様に従って、移動体通信システムの受信機からフィードバックされたチャネルステート情報（ＣＳＩ）を受信する前記移動体通信システムの送信機で使用されるシンボルインターリービング及びチャネルマッピング方法であって、
シンボルを該シンボルの重要性に従って分類するシンボル分類ステップと、
前記シンボルをサブキャリア上でマッピングするサブキャリアマッピングステップと、
重要なシンボルが可能な限りノンディープフェーディング・サブキャリアに対応するように、前記シンボル分類ステップの分類結果及び前記ＣＳＩに従って前記サブキャリアマッピングステップのマッピング結果を適応させるシンボルインターリービングステップとを有する、シンボルインターリービング及びチャネルマッピング方法が提供される。
【００２４】
本発明の第１０の態様に従って、受信機及び送信機を有する移動体通信システムであって、
前記送信機は、上記第１乃至８の態様のうちいずれか１つの態様に従うシンボルインターリービング及びチャネルマッピング装置を有し、前記受信機へデアレンジメント情報を送信し、
前記受信機は、前記デアレンジメント情報に従って前記シンボル・サブキャリアマッピングユニットとは逆順の方法で、受信したシンボルを処理するシンボル・サブキャリアデマッピングユニットを有し、更に、前記受信機は、前記送信機へチャネル情報をフィードバックする、移動体通信システムが提供される。
【００２５】
上記の第１０の態様に基づく本発明の第１１の態様に従う移動体通信システムにおいて、前記デアレンジメント情報は、前記送信機によって配置されるべき形状を表す情報でありうる。
【００２６】
本発明の他の態様に従って、コンピュータ又は論理素子によって実行される場合に、該コンピュータ又は論理素子が上記の方法を実行し、あるいは上記の装置及び構成要素部の１又はそれ以上として使用されることを可能にするコンピュータプログラムが提供される。
【００２７】
本発明の更なる他の態様に従って、上記のコンピュータプログラムを記憶するコンピュータ読出可能な記録媒体が提供される。当該記録媒体は、ＣＤ、ＶＣＤ、ＤＶＤ、フロッピー（登録商標）ディスク、磁気ディスク、又はフラッシュメモリでありうる。
【００２８】
本発明に従う多重キャリアシステムに基づくシンボルインターリービング方法は、不等保護（ＵＥＰ）前進型エラー補正（ＦＥＣ）符号語における重要ビットがディープフェーディングによって妨げられることを防ぐように、送信機側でシンボル順序を再配置する。ここで、ＵＥＰ符号は、如何なる不等保護ＦＥＣ符号語であっても良いが、本発明は、特に、例えば、畳み込みターボ符号（ＣＴＣ）及び不規則低密度パリティチェック符号（ＬＤＰＣ）のような長い符号での利用に適する。再配置処理は、フィードバックチャネルステート情報（ＣＳＩ）に基づく。
【００２９】
夫々の送信の間、多重キャリアシステムの受信機は、最初に、前のＣＳＩを送信機へ送る。ＣＳＩは、如何なる形態で送信されても良い。本発明で、フェーディング等級レベルは、最も直接的な方法である。
【００３０】
送信機側では、変調されたコンステレーションシンボルが、それらがどれくらい重要ビットを含むかによって、幾つかの等級に分類される。等級の番号は、フェーディング強度レベルの番号と同じである。かかるコンステレーションシンボルは、幾つかのサブセットに分けられる。各サブセットは、かかるシンボルの特定の配置形態と考えることができる。全てのサブキャリアに関するＣＳＩは、同数のサブセットに分けられる。シンボルをサブキャリアにマッピングする前に、シンボル順序は、重要ビットが可能な限りディープフェーディングを伴わないように、対応するＣＳＩ形態に従って各サブセットにおいて再配置される。このシンボル再配置処理は、ここでは、シンボルインターリービングと呼ばれる。インターリービングの方式はサブセットごとに同じではなく、１つのサブセットにおけるＣＳＩ形態が固定されると、インターリービングの方式も固定される。シンボルインターリービング処理の後に、コンステレーションシンボルは送信される。
【００３１】
受信機側では、先に送信されたチャネルステート情報（ＣＳＩ）が、現在の受信機処理が終了するまで記憶される。シンボルインターリービング処理は、１つずつ、同じサブセットにおいてシンボル順序及びＣＳＩ順序に対するマッピングを実行するので、受信機は、前のチャネルステート情報（ＣＳＩ）に従ってシンボルをデインターリーブする。
【００３２】
ほとんどの重要ビットは、このシンボルインターリービング方法により記憶される。従って、システム性能は向上する。
【発明の効果】
【００３３】
本発明の実施形態により、不等保護（ＵＥＰ）前進型エラー補正（ＦＥＣ）符号語における重要ビットがディープフェーディングによって妨げられることを防ぐように、送信機側でシンボル順序を再配置することができる。
【発明を実施するための最良の形態】
【００３４】
本発明の具体的な実施形態について、添付の図面を参照して以下でより詳細に記載する。図面に示される実施例は、事実上単なる例示すぎず、本発明の限定として説明されるべきではない。
【００３５】
本発明の具体的な実施形態について、添付の図面を参照して以下でより詳細に記載する。ここに含まれる全ての図において、同一又は類似の番号は、同一又は類似の構成要素部又はステップを示すために用いられる。
【００３６】
図６ａは、本発明の一実施例に従う送信機を示すブロック図である。図６ｂは、本発明の一実施例に従う受信機を示すブロック図である。図６ａ及び図６ｂに示されるように、サブキャリアマッピングユニット１０５は、送信機において、シンボルインターリービング及びチャネルマッピングユニット１１０に置き換えられている。従って、受信機にはシンボルデインターリービング装置２１１が付加されている。
【００３７】
図７ａは、具体的に、本発明の実施例に従うシンボルインターリービング及びチャネルマッピングユニット１１０を示す。
【００３８】
図７ａは、本発明の一実施例に従うシンボルインターリービング及びチャネルマッピングユニット１１０を示す。図７ａに示されるように、本発明のこの実施例では、シンボルインターリービング及びチャネルマッピングユニット１１０は、シンボル分類ユニット１１１と、サブキャリアマッピングユニット１１２と、シンボルインターリービングユニット１１３とを有する。サブキャリアマッピングユニット１１２は、従来のマッピングユニット１０５と同じ機能を有し、従って、ここでは説明しない。シンボル分類ユニット１１１はシンボルを分類するために使用される。シンボルの分類は、サブキャリアマッピングユニット１１２がシンボルをマッピングする前又は後のいずれか一方で行われ得る。シンボルインターリービングユニット１１３は、シンボル分類ユニット１１１の分類結果と、受信機からフィードバックされて、送信機によって受信されるチャネルステート情報とに従って、サブキャリアマッピングユニット１１２のマッピング結果を適応させる。その適応の後に、重要なシンボルは、適応前よりもノンディープフェーディング・サブキャリアに対応する。
【００３９】
図７ｂは、本発明の他の実施例に従うシンボルインターリービング及びチャネルマッピングユニット１１０を示す。図７ａに示されるシンボルインターリービング及びチャネルマッピングユニットに比べて、図７ｂのシンボルインターリービング及びチャネルマッピングユニットは、サブセット分割ユニット１１４を付加されている。この実施例のシンボルインターリービング及びチャネルマッピングユニットは、サブキャリアが、受信機によって受信されるチャネルステートにおいて幾つかのサブセットに分けられるような状況に適用される。この場合に、シンボルは、また、相応して幾つかのサブセットに分けられる。分割されるシンボルに対するサブセットの数は、サブキャリアから分割されるサブセットの数と同じである。この場合に、シンボルインターリービングユニット１１３によるサブキャリアマッピングユニット１１２のマッピング結果に対する適応は、シンボルの各サブセットに対して行われる。シンボル及びチャネルに対するサブセット分割は、送信機及び受信機の計算負荷を減らし、応答速度を高めることができる。
【００４０】
図７ｃは、本発明の更なる他の実施例に従うシンボルインターリービング及びチャネルマッピングユニット１１０を示す。図７ｂに示されるシンボルインターリービング及びチャネルマッピングユニットに比べて、図７ｃのシンボルインターリービング及びチャネルマッピングユニットは、サブキャリアサブセット分割ユニット１１５を付加されている。サブキャリアが、受信機からフィードバックされるチャネルステート情報において分割されない場合に、送信機でサブキャリアを分割して、送信機及び受信機の計算負荷を減らし、応答速度を高めることが可能である。
【００４１】
図７ｄは、本発明の更なる他の実施例に従うシンボルインターリービング及びチャネルマッピングユニット１１０を示す。図７ｃに示されるシンボルインターリービング及びチャネルマッピングユニットに比べて、図７ｄのシンボルインターリービング及びチャネルマッピングユニットは、サブキャリアマッピングユニット１１２のマッピング結果を適応させることが必要かどうかを判断するシンボルインターリービング必要性判断ユニット１１６を付加されており、それによって、不必要な適応を回避し、応答速度を高めることができる。
【００４２】
本発明について、以下、図７ｄを参照して記載する。明らかに、当業者は、図７ｄに示される実施例の実施及び動作フローを理解している限り、図７ａ乃至７ｃの実施及び動作フローを明りょうに理解することができる。従って、他の実施例についての記載はここでは省略する。
【００４３】
図８は、本発明の一実施例に従う送信機側でのシンボルインターリービングを示すフローチャートである。最初にステップ８０１で、サブキャリアは、サブキャリアサブセット分割ユニット１１５によって幾つかのサブセットに分けられる。サブセットの夫々は、Ｎ個のサブキャリアを有する。ここで、Ｎは、サブキャリアの総数によって厳密に割ることができる小さな正の整数である。このステップは、また、サブキャリアサブセット分割ステップとも呼ばれる。かかるステップで、サブキャリアは、異なるサブキャリアの対応するフェーディング強度に従って分けられる。すなわち、本発明の一実施例で、多重キャリアシステムは、最初に、同じ帯域幅を有する複数のサブキャリアに分けられ、その後に、サブキャリアの全ては、同数でサブセットに分けられる。上述されたように、サブセット分割を行う理由は、各サブセットでのサブキャリアの再配置が、１度の全てのサブキャリアの再配置よりも一層複雑でないことである。本発明では、サブキャリアを再配置する暗示的意味は、シンボルを再配置する暗示的意味と一致する。分割され得るサブセットの数（すなわち、数Ｎの値）は、システムの処理能力及びシステムに対する様々な要求（例えば、ＱｏＳ要求など。）などに基づき決定され得る。一般的に言えば、Ｎの値が大きくなればなるほど、本発明によるシンボルの再配置はより良くなるが、相応して、より高い要求が処理能力に求められ得る。
【００４４】
続いてステップ８０２で、コンステレーションシンボルは、同じ数でサブセットに分けられる。すなわち、コンステレーションシンボルのサブセットの数は、サブキャリアのサブセットの数と同じである。各サブセットはＮ個のシンボルを有する。次いでステップ８０３で、フィードバックチャネルステート情報（ＣＳＩ）における各サブキャリアのフェーディング等級が決定される。各サブキャリアのフェーディング等級はＦｎである。ここで、ｎ＝１，２，．．．ＮはｌＦｎを付される。ｌＦｎが大きくなればなるほど、フェーディング等級はますます高くなる。ここで、０＜１＜＝Ｌであり、Ｌは、１よりも大きい所定の正の整数である。フェーディング等級は、フィードバックチャネルステート情報から得られる。シンボルインターリービングユニット１１３及びシンボルインターリービング必要性判断ユニット１１６は、直接に、フィードバックチャネルステート情報からフェーディング等級を得ることができる。
【００４５】
図９は、サブキャリア分類の処理を示す。周波数連続チャネルインパルス応答は、その振幅に従って幾つかのレベルに分類される。レベルの数は、装置の処理能力によって定義され、予め決定され得る。レベルが大きくなればなるほど、複雑性はますます高くなる。加えて、通常、分類は、デジタル処理を容易にするように、２の累乗、すなわち、２、４、８、１６等に基づく。言い換えると、チャネルインパルス応答の振幅は、所定の基準に従って幾つかのセグメント（本図に図式的に示される４つのセグメント。すなわち、４レベル。）に分割され、対応するフェーディング等級は、各サブキャリア（１〜９）のチャネルインパルス応答があるセグメントに従って決定される。サブセット分割の後、各サブキャリアに対応するフェーディング等級の列は、ｋＦ＝［ｋＦ１，ｋＦ２，・・・ｋＦｎ・・・，ｋＦＮ］である。図９で図式的に示されるように、９個のサブキャリアを含むサブセット９０１のサブキャリアの夫々のフェーディング等級は、夫々［２，２，１，１，２，２，３，３，４］である。留意すべきは、受信機は、概して、サブキャリア分類の処理を行う点である。
【００４６】
図８に戻り、ステップ８０４で、シンボル分類ユニット１１１は、各コンステレーションシンボルＳｎを分類する。ここで、各サブセットにおいてｎ＝１，２，．．．Ｎである。かかる分類は、各コンステレーションシンボルの重要度に従って行われる。各コンステレーションシンボルＳｎの重要度はｋＳｎによって表される。ここで、ｋ＝１，２，・・・Ｋである。Ｋは所定の最高レベルであり、正の整数である。ｋが小さくなればなるほど、重要性はますます高くなる。当然、先の取り決めに依存し且つ本発明の理解に影響を及ぼさない場合には、同様に、ｋが大きくなればなるほど、重要性がますます高くなっても良い。従って、ｋが小さくなればなるほど、重要性がますます高くなる場合について、以下では説明する。Ｌ及びＫは同じであっても、又は同じでなくても良い点に留意されたし。しかし、簡単な処理は、Ｌ及びＫが同じである場合に可能である。Ｌ及びＫが同じでない場合の処理の原理は、Ｌ及びＫが同じである場合の処理の原理と同じであるから、当業者は、Ｌ及びＫが同じである場合の処理を理解することで、Ｌ及びＫが同じでない場合の処理を理解することが可能である。従って、説明を簡単にするために、以下では、Ｌ及びＫが同じである場合を例として説明を行う。すなわち、各サブキャリアのフェーディング等級Ｆｎ（ｎ＝１，２，．．．Ｎ）はｋＦｎによって表される。
【００４７】
図１０は、本発明の一実施例に従うシンボル分類ユニット１１１を示すブロック図である。図１０に示されるように、シンボル分類ユニット１１１は、ビット重要性決定ユニット１１１１と、重要ビット数決定ユニット１１１２と、シンボル重要性判断ユニット１１１３とを有する。ビット重要性決定ユニット１１１１は、シンボルにおける各ビットの重要性を決定する。図３及び４を参照して、上述されたように、シンボルにおける各ビットの重要性は、様々な符号化方法によって異なる。ビット重要性決定ユニット１１１１は、送信機で用いられる符号化方法に従って、シンボルにおける各ビットの重要性を決定することができる。重要ビット数決定ユニット１１１２は、各シンボルにおける重要なビットの数を決定する。シンボル重要性判断ユニット１１１３は、このシンボルにおける重要ビットの数に従ってシンボルの重要性を決定し、それを基に分類を実行する。かかる判断は、ある基準に従って、例えば、閾値よりも大きい重要ビットの数を有するシンボルを重要シンボルと判断することによって、行われ得る。
【００４８】
図１１は、シンボル分類の処理を表す。ビットインターリーブをされた列１１０１は、シンボル列１１０２に変調される。ビット重要性マーカ１１０５は、（図１１において２によって示される）全ての重要ビットに印を付ける。含まれる重要ビットの数に依存して、コンステレーションシンボルは、例えば、シンボル重要性マーカ１１０６によって示されるように、幾つかの重要度に分けられる。図１１での重要度は全部で４つのレベルである。第１のレベルは４つの重要ビットを含み、第２のレベルは３つの重要ビットを含み、第３のレベルは２つの重要ビットを含み、第４のレベルは２よりも少ない重要ビットを含む。当然、分割されるレベルの数は、また、様々でありうる。図１４に図式的に示されるように、２つのレベルにしか分割されない。サブセット分割の後、シンボル重要度列ｋＳ＝［ｋＳ１，ｋＳ２，・・・ｋＳｎ・・・，ｋＳＮ］が得られる。
【００４９】
ここで、図８に戻り、サブキャリアマッピングユニット１１２は、ステップ８１１でサブキャリアマッピングを行う。このマッピングステップは、先行技術のステップ５０４と同じであり、従って、ここでは詳細に説明しない。当業者には知られるように、先のステップ８０１乃至８０４は固定されず、可変であり、連続して又は並行して実行され得る。更に、これらのステップは、ステップ８１１の前又はステップ８１１の後のいずれに実行されても良い。加えて、図１４でのビット重要性の判断は変調の前に行われるが、このステップは、また、変調の後に行われても良い。概して、図１４及び図８に対する記載は、本発明を限定するものではなく、事実上単に説明しているに過ぎない。
【００５０】
続いてステップ８０５で、シンボルインターリービングユニット１１３は、サブキャリアの各サブセットに対してシンボルを再配置する。図８の右側のステップ８０６乃至８１０は、ステップ８０５を詳細に表す。
【００５１】
具体的に、ステップ８０６で、以下の式（１）は、サブキャリアの各サブセットにおける各シンボルに対して計算される：
【数１】
0005256901.tif 000002
ここで、Ｒｎは強度差であり、その値は−（Ｋ−１）〜Ｋ−１の範囲にあるいずれかの整数をとりうる。
【００５２】
Ｒｎが所定の閾値よりも大きいかどうかを判断することが可能である。かかる所定の閾値は、重要でないシンボルがディープフェーディングを有するサブキャリアに出会うこと、又は、重要なシンボルがノンディープフェーディングを有するサブキャリアに出会うことを示しうる。ｋＳｎが小さければ小さいほど、シンボルはますます重要であり（例えば、１は重要シンボルを示し、２は非重要シンボルを示す。）、ｋＦｎが大きければ大きいほど、キャリアはますます深くフェーディングする（１はノンディープフェーディングを示し、２はディープフェーディングを示す。）ところの先に述べられた場合において、閾値の値は０に設定され、その場合に、Ｒｎ＞０は、より少ない重要シンボルがノンディープフェーディング・サブキャリアに対応することを意味する。Ｒｎ＜０は、重要シンボルがより深いフェーディングのサブキャリアに出会うことを意味する。これは、本発明では回避されるよう試みられる。以下の強度差ベクトルは、これによって各サブセットに対して得られ、かかるベクトル：
【数２】
0005256901.tif 000003
に従って、いかに再配置を行うべきかを定める。
【００５３】
続いてステップ８０７及び８０８で、シンボルインターリービング必要性判断ユニット１１６は、シンボルインターリービングを行う必要があるかどうかを判断する。具体的には、ステップ８０７で、サブセットにおける全てのサブキャリアに関してＲｎ≧０であるかどうかが判断され、もしそうであるならば（ステップ８０７、ＹＥＳ）、これは、ディープフェーディングが全ての重要ビットについて回避されることを意味する。従って、ステップ８０９が開始される。この場合には再配置を行う必要はない。ステップ８０９で示されるように、シンボルは再配置されず、シンボル順序は前と同じである。
【００５４】
他方で、全てのＲｓが０よりも大きいわけではない場合には（ステップ８０７、ＮＯ）、ステップ８０８で、サブステップにおける全てのサブキャリアＦｎに関してｋＦｎ＝Ｋであるかどうかが判断される。そうであるならば（ステップ８０８、ＹＥＳ）、これは、チャネルステートが最悪であることを意味し、従って、再配置によってすら助けはなく、ステップ８０９は、やはり、如何なる変化も伴わずに開始される。
【００５５】
シンボルの再配置は、上述された２つの特別の環境を除いて必要とされる。すなわち、ステップ８０８でＮＯと判断される場合には、処理はステップ８１０に入り、再配置を行う。
【００５６】
送信機及び受信機のための再配置の方式は、データの夫々の伝送の前に決定されている。
【００５７】
各サブセットにおける再配置の順序は、以下の式：
【数３】
0005256901.tif 000004
によって決定され得る。ここで、
【数４】
0005256901.tif 000005
【数５】
0005256901.tif 000006
及び
【数６】
0005256901.tif 000007
であり、従って、
【数７】
0005256901.tif 000008
は最小値を有する。
ここで、
【数８】
0005256901.tif 000009
であり、
【数９】
0005256901.tif 000010
は、再配置の後のフェーディング順序である。この時点でＦ１´は、１の参照番号を付されたサブキャリアよりむしろ、元の配置における特定のサブキャリアの位置に対応する。ｋＦｎ´は、再配置の後のサブキャリアのフェーディング強度マークである。ｋＳｎは、元の配置のシンボル重要性マークである。
【数１０】
0005256901.tif 000011
は、再配置の後の強度差である。
【数１１】
0005256901.tif 000012
は、強度差ベクトルの平均値を示す。最小値を有する
【数１２】
0005256901.tif 000013
の平均化は、可能な限り重要シンボルをノンディープフェーディングに対応させることを意味する。式（４）は、シンボル順序の適応により、ノンディープフェーディング・サブキャリアに対応するより多くの重要シンボル有し、更に、ディープフェーディング・サブキャリアに対応するより多くの非重要シンボルを有することがありありと理解され得る。
【００５８】
ある一定のフェーディングパターンに関し、再配置関数
【数１３】
0005256901.tif 000014
は、前出の原理を満足する一定の新しい順序を生成しうる。ここで、異なるシンボル順序は同一の新しい順序としてマッピングされることが可能である。このようなマッピングは、夫々のデータ伝送の前にルックアップテーブルの形で送信機に保存される。図１２は、ルックアップテーブルの基本再配置のための実施例を提供する。
【００５９】
図１２は、サブセットのサイズが３であって、フェーディング等級の数が２であって、且つシンボル重要度の数が２であるルックアップテーブルの生成方法を示す。参照番号１を付されたシンボルは重要シンボルであり、斜線はディープフェーディングを示す。最初に、配置されるシンボルの全てのパターン（２×２×２＝８種類）は、例えば、Ｓ（シンボル）１３０１と順次に番号を付され、次いで、フェーディングパターン（２×２×２＝８種類）は、例えば、Ｆ（フェーディング）１３０２と順次に番号を付される。１３０３はルックアップテーブルを表す。列数は、配置されるシンボルのパターンの数であり、行数は、フェーディングパターンの数である。各列数及び各行数の組み合わせは、シンボルの再配置方式１３０４、すなわち、新しいシンボル配置順序に対応し、かかる新しい順序の全ては、重要シンボルが対応するディープフェーディングの数を最小化することができる。
【００６０】
送信機からのデアレンジメント情報は、受信機側で元のシンボル順序を回復するために必要とされる。デアレンジメント情報は、信頼できる手段（例えば、低速レート変調符号化法、及び反復など。）により、データ情報の送信前に、受信機側へ送信されなければならない。１つの実現可能な解決法は、パケットのヘッダとして送信することである。図１３は、デアレンジメント情報を送信するためのヘッダを示す。図１３に示されるように、デアレンジメント情報は、符号化ブロック番号１３０１、サブセット番号１３０２及び再配置番号１３０３の３つの文字区間を有する。符号化ブロック番号１３０１は、当該情報に対応する符号化ブロックを示し、サブセット番号１３０２は、当該情報がある符号化ブロックの特定のサブセットに対応することを示し、再配置番号１３０３は、当該情報のカーネルコンテンツ、すなわち、デアレンジメント解法であり、各番号は、デアレンジメント結果に対応する。１３０３は、配置される送信機のシンボルのパターンの番号１３０１でありうる。受信機は、この番号に従って元のシンボルの順序を回復する。
【００６１】
図１４は、本発明のフローを図式的に示す。図５と比べて、図１４は、本発明をより明りょうに表す。従って、図５に示されるのと同じ部分は、同じ参照番号によって示され、それらについての詳細な記載は省略する。
【００６２】
図１４に示されるように、ＵＥＰチャネル符号（すなわち、図１４のＦＥＣ符号５０５）は、最初に、ステップ５０１で入力される。ＦＥＣ符号５０５は、ビットインターリーブ符号５０６を得るよう、最初に、ビットインターリーバ１０３によって（ステップ５０２で）インターリーブされる。ビットインターリーブ符号５０６は、次いで、（ステップ５０３で）変調器１０４によって、１６ＱＡＭコンステレーションシンボル５０７に変調される。コンステレーションシンボル５０７は、送信されるべきシンボル５０８を得るよう、サブキャリアマッピングユニット１０５によって（ステップ５０４で）チャネルマッピングをなされる。図５ａに示されるように、全部で、ディープフェーディングを伴う４つの重要シンボル及び１０の重要ビットが存在する。
【００６３】
しかし、図１４でシンボル分類（ステップ５２０）を行い、マッピングの後に、シンボル分類の結果及びフィードバックチャネル情報に従ってシンボルインターリービング（ステップ５２１）を行うことが必要である。
【００６４】
図１４に示されるように、シンボルは３つのサブセットに分けられ（各サブセットが３つのシンボルを含むように、図１４には９個のシンボルがある。）、かかるシンボルは、夫々、これら３つのサブセットにおいて再配置される。２つの重要シンボルのみがディープフェーディングを伴っていることが分かる。これは、図５で４つの重要シンボルがディープフェーディングを伴うことに比べて良好な結果と言える。
【００６５】
明らかなように、サブキャリアのマッピングの結果は常に、サブキャリアが先の実施例でマッピングされた後に、シンボルインターリービングにより再配置されるが、当業者には当然のことながら、サブキャリアマッピングユニットは、ある関数又はルックアップテーブルを基にフィードバックチャネル情報及びシンボル分類情報に従って直接にマッピングを行うことが可能であり、このようなマッピングの結果は、重要シンボルが可能な限り多くノンディープフェーディング・サブキャリアに対応することを可能にし、それによって、再配置の必要性を除くことができる。
【００６６】
図１５は、受信機側での信号処理手順を図式的に示す。受信機での処理手順は、送信機での処理手順と反対であって且つ反転されている。従って、受信機での処理は、単純に図７ｄの送信機に対応するよう本明細書中では記載される。以下の記載は、図６ｂを参照してなされる。シンボルサブセット分割ユニット２１０は、受信したコンステレーションシンボル１２０６を、送信機によって分割されたサブセットの数に対応する数で幾つかのサブセットに分ける。各サブセットは、Ｎ個のシンボルを含む。シンボルデインターリーバ２１１は、ステップ１２０１で、ＣＳＩパターンに従って（すなわち、テーブルを参照することによって）、各サブセットに対してデインターリービング（デアレンジメント）を実行する。デインターリービングをされたシンボル１２０７は、次いで、（ステップ１２０２で）サブキャリアデマッピングユニット２０５によってデマッピングをされ、デマッピングをされたシンボル１２０８は、（ステップ１２０３で）復調器２０６によって復調される。復調されたビット１２０９は、（ステップ１２０４で）デインターリーバ２０７によってデインターリービングをなされ、デインターリービングをされたビット１２１０は、次いで、（ステップ１２０５で）ＦＥＣデコーダによって復号化され、デランダマイザ２０９によってデランダマイズをされる。
【００６７】
本発明の適用の前提条件として、フィードバックチャネルステート情報（ＣＳＩ）は十分に信頼できるものであることが確かにされる必要がある。言い換えると、チャネルフェーディングパターンは、送信機及び受信機に対して同じでなければならず、さもなければ、送信機及び受信機に対する再配置法の相違は、大きな誤差を導入しうる。３つの層での保護対策は、フィードバック情報の信頼性を確かにすることができる。最初に、各サブセットでのレベルの数は小さくなればならない。従って、各レベルの範囲は十分に大きいこと及び小さなフェーディング変化はフェーディングレベルのパターンに影響を及ぼさないことを確かにすることが可能である。第２に、フィードバック情報それ自体は、よりロバストな変調及び符号化モードで送信され得る。第３に、例えばＡＲＱのように、保護メカニズムの層はより高い。
【００６８】
前出の実施形態及び例は、本発明を限定するものではなく、事実上説明するものである。当業者ならば、本発明の原理に従って本発明の実施例に対して様々な変更及び改良を行うことが可能であり、全てのこのような変更及び改良は、本発明の適用範囲内にある。本発明の適用範囲は、添付の特許請求の範囲及びその均等によって決定される。
【００６９】
以上の実施形態に関し、更に以下の付記を開示する。
【００７０】
（付記１）
移動体通信システムの受信機からフィードバックされたチャネルステート情報（ＣＳＩ）を受信する前記移動体通信システムの送信機で使用されるシンボルインターリービング及びチャネルマッピング装置であって、
シンボルを該シンボルの重要性に従って分類するシンボル分類ユニットと、
重要なシンボルが可能な限りノンディープフェーディング・サブキャリアに対応するように、前記シンボル分類ユニットの分類結果及び前記ＣＳＩに従ってサブキャリアマッピングを行うシンボル・サブキャリアマッピングユニットとを有する、シンボルインターリービング及びチャネルマッピング装置。
【００７１】
（付記２）
前記シンボル・サブキャリアマッピングユニットは、
前記シンボルをサブキャリアへマッピングするサブキャリアマッピングユニットと、
重要なシンボルが可能な限りノンディープフェーディング・サブキャリアに対応するように、前記シンボル分類ユニットの分類結果及び前記ＣＳＩに従って前記サブキャリアマッピングユニットのマッピング結果を適応させるシンボルインターリービングユニットとを有する、付記１記載のシンボルインターリービング及びチャネルマッピング装置。
【００７２】
（付記３）
シンボルインターリービング必要性判断ユニットを更に有し、
前記シンボルインターリービング必要性判断ユニットは、前記サブキャリアの状態及び前記サブキャリアマッピングユニットのマッピング結果に従って前記サブキャリアマッピングユニットの前記マッピング結果を適応させることが必要かどうかを判断する、付記２記載のシンボルインターリービング及びチャネルマッピング装置。
【００７３】
（付記４）
前記サブキャリアが前記ＣＳＩにおいて複数のサブセットに分割される場合に、シンボルサブセット分割ユニットを更に有し、
前記シンボルサブセット分割ユニットは、前記サブキャリアと同数の複数のサブセットに前記シンボルを分割し、
前記シンボルインターリービングユニットは、前記シンボルのサブセットに関して前記サブキャリアマッピングユニットのマッピング結果を適応させる、付記２記載のシンボルインターリービング及びチャネルマッピング装置。
【００７４】
（付記５）
前記シンボル分類ユニットは、
シンボル内のビットの夫々に関し重要性を決定するビット重要性決定ユニットと、
前記シンボル内の重要なビットの数を決定する重要ビット数決定ユニットと、
前記シンボル内の前記重要なビットの数に従って前記シンボルの重要性を判断し、該シンボルを分類するシンボル重要性判断ユニットとを有する、付記１記載のシンボルインターリービング及びチャネルマッピング装置。
【００７５】
（付記６）
前記シンボルインターリービングユニットは、前記ＣＳＩ及び前記シンボル分類ユニットの分類結果に従ってルックアップテーブルによって前記サブキャリアマッピングユニットのマッピング結果を再配置する、付記２記載のシンボルインターリービング及びチャネルマッピング装置。
【００７６】
（付記７）
前記シンボルインターリービングユニットは、前記ＣＳＩ及び前記サブキャリアマッピングユニットのマッピング結果に従ってシンボル重要度マーキング値と再配置されたマッピング結果の中のサブキャリアに対応する夫々のチャネルフェーディング強度レベルとの間の差の絶対値を最小にするよう再配置を実行し、
前記シンボル重要度マーキング値は、シンボルの重要性を表し、
前記シンボルの重要性が高いほど、前記マーキング値は低く、前記サブキャリアに対応するチャネルステートは悪く、前記フェーディング強度レベルは高く、あるいは、前記シンボルの重要性が高いほど、前記マーキング値は大きく、前記サブキャリアに対応するチャネルステートは悪く、前記フェーディング強度レベルは低い、付記２記載のシンボルインターリービング及びチャネルマッピング装置。
【００７７】
（付記８）
前記サブキャリアを複数のサブセットに分割するサブキャリアサブセット分割ユニットと、
前記サブキャリアと同数の複数のサブセットに前記シンボルを分割するシンボルサブセット分割ユニットと、
前記シンボルのサブセットに関して前記サブキャリアマッピングユニットのマッピング結果を適応させるシンボルインターリービングユニットとを有する、付記２記載のシンボルインターリービング及びチャネルマッピング装置。
【００７８】
（付記９）
移動体通信システムの受信機からフィードバックされたチャネルステート情報（ＣＳＩ）を受信する前記移動体通信システムの送信機で使用されるシンボルインターリービング及びチャネルマッピング方法であって、
シンボルを該シンボルの重要性に従って分類するシンボル分類ステップと、
前記シンボルをサブキャリア上でマッピングするサブキャリアマッピングステップと、
重要なシンボルが可能な限りノンディープフェーディング・サブキャリアに対応するように、前記シンボル分類ステップの分類結果及び前記ＣＳＩに従って前記サブキャリアマッピングステップのマッピング結果を適応させるシンボルインターリービングステップとを有する、シンボルインターリービング及びチャネルマッピング方法。
【００７９】
（付記１０）
受信機及び送信機を有する移動体通信システムであって、
前記送信機は、付記１乃至８のいずれか一項記載のシンボルインターリービング及びチャネルマッピング装置を有し、前記受信機へデアレンジメント情報を送信し、
前記受信機は、前記デアレンジメント情報に従って前記シンボル・サブキャリアマッピングユニットとは逆順の方法で、受信したシンボルを処理するシンボル・サブキャリアデマッピングユニットを有し、更に、前記受信機は、前記送信機へチャネル情報をフィードバックする、移動体通信システム。
【図面の簡単な説明】
【００８０】
【図１】先行技術の送信機１００を示す略ブロック図である。
【図２】先行技術の受信機２００を示す略ブロック図である。
【図３】１／２符号レート畳み込みターボ符号を備えたエンコーダ１０２の概略図である。
【図４】不規則低密度パリティチェック（ＬＤＰＣ）符号のチェックマトリクスの概略図である。
【図５】従来の送信機側でのチャネル符号化処理を示す略フローチャートである。
【図６ａ】本発明の一実施例に従う送信機を示すブロック図である。
【図６ｂ】本発明の一実施例に従う受信機を示すブロック図である。
【図７ａ】本発明の一実施例に従うシンボルインターリービング及びチャネルマッピングユニットを示す。
【図７ｂ】本発明の一実施例に従うシンボルインターリービング及びチャネルマッピングユニットを示す。
【図７ｃ】本発明の一実施例に従うシンボルインターリービング及びチャネルマッピングユニットを示す。
【図７ｄ】本発明の一実施例に従うシンボルインターリービング及びチャネルマッピングユニットを示す。
【図８】本発明の一実施例に従う送信機側のシンボルインターリービングを示すフローチャートである。
【図９】サブキャリア分類の処理を図式的に示す。
【図１０】本発明の一実施例に従うシンボル分類ユニットを示す略ブロック図である。
【図１１】シンボル分類の処理を表す。
【図１２】ルックアップテーブルの基本再配置に関する実施形態の例を提供する。
【図１３】デアレンジメント情報を送信するヘッダを図式的に示す。
【図１４】本発明に従う送信機側でのチャネル符号化の処理を図式的に示す。
【図１５】受信機側での信号処理手順を図式的に示す。
【符号の説明】
【００８１】
１０１  ランダマイザ
１０３  ビットインターリーバ
１０４  変調器
１０５  サブチャネルマッピングユニット
１０９  加算ＣＰ
１１０  シンボルインターリービング及びマッピングユニット
１１１  シンボル分類ユニット
１１２  サブキャリアマッピングユニット
１１３  シンボルインターリービングユニット
１１４  シンボルサブセット分割ユニット
１１５  サブキャリアサブセット分割ユニット
１１６  シンボルインターリービング必要性判断ユニット
２０１  除去ＣＰ
２０５  サブチャネルデマッピングユニット
２０６  復調器
２０７  デインターリーバ
２０８  ＦＥＣデコーダ
２０９  デランダマイザ
２１１  シンボルデインターリーバ
３０１ａ，ｂ  時間遅延
３０２ａ，ｂ  成分エンコーダ
３０３  ＣＴＣインターリーバ
３０４  冗長性削除マトリクス
３０５  マルチプレクサ
３０６  畳み込みターボ符号
３０７  情報ビット
３０８  チェックビット
１１１１  ビット重要性決定ユニット
１１１２  重要ビット数決定ユニット
１１１３  シンボル重要性判断ユニット
１１０３  変調器
１１０４  シンボル分類器
【図１】
0005256901.tif 000015
【図２】
0005256901.tif 000016
【図３】
0005256901.tif 000017
【図４】
0005256901.tif 000018
【図５】
0005256901.tif 000019
【図６ａ】
0005256901.tif 000020
【図６ｂ】
0005256901.tif 000021
【図７ａ】
0005256901.tif 000022
【図７ｂ】
0005256901.tif 000023
【図７ｃ】
0005256901.tif 000024
【図７ｄ】
0005256901.tif 000025
【図８】
0005256901.tif 000026
【図９】
0005256901.tif 000027
【図１０】
0005256901.tif 000028
【図１１】
0005256901.tif 000029
【図１２】
0005256901.tif 000030
【図１３】
0005256901.tif 000031
【図１４】
0005256901.tif 000032
【図１５】
0005256901.tif 000033